(57)【要約】      （修正有）【課題】杖や傘などを保持する際の利便性を高めることのできる物品保持具を提供する。【解決手段】テーブルに取り付けられて物品を保持する物品保持具１は、テーブルの裏面に固定される固定部５と、テーブルの裏面と固定部５との間に設けられ、固定部５に対して水平方向に回転自在なホルダー部７と、を備える。ホルダー部７は、テーブルの裏側に位置する格納状態と、テーブルの外側に突出する使用状態との間を回転自在である。格納状態及び使用状態において、ホルダー部７の固定部５に対する回転が一定以上の回転力によって許容されるロック部（凸部１５ｃ，凹部２３）が、ホルダー部７と固定部５との間に設けられている。【選択図】図１
0003213850.tif 000002
【実用新案登録請求の範囲】
【請求項１】
テーブルに取り付けられて物品を保持する物品保持具であって、
前記テーブルの裏面に固定される固定部と、
前記テーブルの裏面と前記固定部との間に設けられ、前記固定部に対して水平方向に回転自在なホルダー部と、を備え、
前記ホルダー部は、前記テーブルの裏側に位置する格納状態と、前記テーブルの外側に突出する使用状態との間を回転自在であり、
前記格納状態及び使用状態において、前記ホルダー部の前記固定部に対する回転が一定以上の回転力によって許容されるロック部が、前記ホルダー部と前記固定部との間に設けられている物品保持具。
【請求項２】
前記ロック部は、前記ホルダー部と前記固定部との間のいずれか一方に設けられた凹部と、いずれか他方に設けられた凸部と、で構成され、前記凹部及び凸部が、前記ホルダー部の回転中心軸線を中心とした円周方向に沿った周面に設けられている請求項１に記載の物品保持具。
【請求項３】
前記ロック部は、前記ホルダー部と前記固定部との間のいずれか一方に設けられた凹部と、いずれか他方に設けられた凸部と、で構成され、前記凹部及び凸部が、前記ホルダー部の回転中心軸線と直交する面に設けられている請求項１に記載の物品保持具。
【請求項４】
前記ホルダー部が前記固定部に対し前記格納状態と前記使用状態との間を回転するときに、前記凸部との間で、互いに押し付け合いながら摺動してクリック感を発生させるクリック感発生部が、前記凹部を備える側に設けられている請求項２または３に記載の物品保持具。
【請求項５】
前記ホルダー部は、回転方向に対向する側部に、凹状に湾曲した湾曲部を備えている請求項１ないし４のいずれか１項に記載の物品保持具。
【請求項６】
前記テーブルの裏面と前記ホルダー部との間に、前記ホルダー部に対して相対回転自在で、前記固定部に固定されるスペーサが設けられている請求項１ないし５のいずれか１項に記載の物品保持具。
【考案の詳細な説明】
【技術分野】
【０００１】
本実施の形態は、テーブルに取り付けられ、杖や傘などの物品を保持する物品保持具に関する。
【背景技術】
【０００２】
テーブルの裏に取り付けられて杖や傘を保持する保持具としては、下記特許文献１に記載されたものがある。特許文献１に記載された保持具は、テーブルの裏に取り付けた台座に、フックを回転自在に取り付けている。フックは、台座を間にしてテーブルの下方に位置し、凹状に湾曲した部分に杖や傘を入り込ませた状態で、バネによって杖や傘をテーブルの縁に押し付けて保持する。
【先行技術文献】
【特許文献】
【０００３】
【特許文献１】実用新案登録第３１５１７８６号公報
【考案の概要】
【考案が解決しようとする課題】
【０００４】
しかしながら、特許文献１の保持具は、杖や傘がテーブルの縁に押し付けられた状態で保持されるので、握る部分である柄が、テーブルの上方に突出することでテーブル使用時に邪魔になり、テーブル使用時での利便性が悪い。
【０００５】
本実施の形態は、杖や傘などを保持する際の利便性を高めることのできる物品保持具を提供する。
【課題を解決するための手段】
【０００６】
本実施の形態の一態様によれば、テーブルに取り付けられて物品を保持する物品保持具であって、前記テーブルの裏面に固定される固定部と、前記テーブルの裏面と前記固定部との間に設けられ、前記固定部に対して水平方向に回転自在なホルダー部と、を備える。前記ホルダー部は、前記テーブルの裏面に位置する格納状態と、前記テーブルの外側に突出する使用状態との間を回転自在である。前記格納状態及び使用状態において、前記ホルダー部の前記固定部に対する回転が一定以上の回転力によって許容されるロック部が、前記ホルダー部と前記固定部との間に設けられている。
【考案の効果】
【０００７】
本実施の形態によれば、杖や傘を保持する際のテーブル使用時の利便性を高めることのできる物品保持具を提供できる。
【図面の簡単な説明】
【０００８】
【図１】第１の実施形態に係る物品保持具の分解斜視図である。
【図２Ａ】図１の物品保持具をテーブルに取り付けた状態を示す斜視図である。
【図２Ｂ】図１の物品保持具をテーブルに取り付けた状態を示す側面図である。
【図２Ｃ】図１の物品保持具をテーブルの下に格納した状態を示す下方から見た斜視図である。
【図３Ａ】図２Ｂのテーブルを仮想線として示す物品保持具の一部断面を含む平面図である。
【図３Ｂ】図３Ａに対し、物品保持具をテーブルの下に格納した状態を示す平面図である。
【図４Ａ】図２Ａに示す物品保持具に杖を引掛けた状態を示す斜視図である。
【図４Ｂ】図２Ａに示す物品保持具に傘を引掛けた状態を示す斜視図である。
【図４Ｃ】図２Ａに示す物品保持具に杖を立掛けた状態を示す斜視図である。
【図５】裏面に桟を備えるテーブルに物品保持具を取り付けた例を示す、図２Ｂに対応する側面図である。
【図６】縁にエッジを備えるテーブルに物品保持具を取り付けた例を示す、図２Ｂに対応する側面図である。
【図７】図６の例に使用するスペーサの斜視図である。
【図８Ａ】第２の実施形態に係る物品保持具の平面図である。
【図８Ｂ】図８Ａの物品保持具の上部を省略したＡ−Ａ断面図である。
【考案を実施するための形態】
【０００９】
以下、実施の形態を図面に基づき説明する。
【００１０】
[第１の実施の形態]
図１に示すように、第１の実施形態に係わる物品保持具１は、図２Ａに示すテーブル３の天板３ａの裏面に取り付けられる固定部５と、天板３ａの裏面と固定部５との間に設けられ、固定部５に対して水平方向に回転自在なホルダー部７と備えている。固定部５は、フランジ部９と円柱部１１とを備えている。
【００１１】
固定部５は、フランジ部９及び円柱部１１を、円柱部１１の中心軸線Ｐ方向に向けて貫通する取付孔５ａが２個形成されている。２個の取付孔５ａは、円柱部１１の中心軸線Ｐからずれた位置にある。取付孔５ａにタッピングねじ１３を挿入し、天板３ａの裏面にねじ込むことで、固定部５が天板３ａの裏面に取り付けられる。このとき、天板３ａと固定部５との間にホルダー部７を配置する。
【００１２】
フランジ部９は、外周部において、周方向の１８０度隔てた２か所に直線状に形成された直線部９ａと、直線部９ａ相互間に位置する２か所の円弧部９ｂとを備えている。円弧部９ｂも周方向の１８０度隔てた２か所に形成されている。フランジ部９は、円柱部１１側の上面に、フランジ部９の外形とほぼ同形状のリブ１５を備えている。したがって、リブ１５もフランジ部９と同様に、２か所のリブ直線部１５ａと２か所のリブ円弧部１５ｂとを備えている。固定部５は、図２Ｂ，図２Ｃのように天板３ａの裏面に取り付けたときに、直線部９ａ及びリブ直線部１５ａが天板３ａの直線状の縁３ａ１とほぼ平行となる。
【００１３】
リブ直線部１５ａとリブ円弧部１５ｂとの間の境界部分の４か所には、円柱部１１の直径方向に向けて突出する凸部１５ｃが形成されている。４つの凸部１５ｃは、リブ１５の周方向に沿って９０度間隔に設けられ、先端がリブ１５の周方向に沿って円弧形状となるよう突出している。固定部５の凸部１５ｃは、ホルダー部７の後述する凹部２３とでロック部を構成している。互いに対向する位置にある２つのリブ直線部１５ａ相互の間隔は、円柱部１１の直径とほぼ等しい。
【００１４】
ホルダー部７は、固定部５に回転支持される回転支持部１７と、ホルダー部本体２０とを備えている。回転支持部１７は、固定部５の直線部９ａと同様に、外周側の周方向１８０度隔てた２か所にホルダー部直線部１７ａを備え、ホルダー部本体２０につながる部分と反対側がホルダー部円弧部１７ｂとなっている。ホルダー部直線部１７ａは、回転支持部１７とホルダー部本体２０とがつながる方向に沿って延びている。回転支持部１７は、固定部５の円柱部１１が相対回転自在に挿入される回転支持孔１７ｃを備えている。ホルダー部円弧部１７ｂは、回転支持孔１７ｃの中心軸線（円柱部１１の中心軸線Ｐと同じ）を中心とした円弧形状である。
【００１５】
回転支持孔１７ｃは、軸方向の長さが円柱部１１の軸方向の長さとほぼ同等かやや短い円筒形状となっている。ホルダー部円弧部１７ｂは、回転支持孔１７ｃを備える円筒形状部よりも下方に突出するようにして延長される延長部１９を備えている、延長部１９に対向する部位、換言すれば回転支持部１７のホルダー部本体２０につながる部位も、回転支持孔１７ｃを備える円筒形状部よりも下方に突出する突出部２１を備えている。
【００１６】
いずれも内面が円弧形状の延長部１９及び突出部２１は、回転支持孔１７ｃ側に、図３Ａ，図３Ｂに示すように、クリック感発生部としての凹凸形状部１９ａ及び２１ａが形成されている。凹凸形状部１９ａ及び２１ａの周方向外側端部に、回転支持孔１７ｃの直径方向外側に向けて凹む凹部２３が形成されている。凹部２３は、延長部１９に２つ、突出部２１に２つ、全部で４つ設けてある。４つの凹部２３は、回転支持孔１７ｃの周方向に沿って９０度間隔で形成されている。凹部２３には、固定部５の凸部１５ｃが入り込む。凹部２３に凸部１５ｃが入り込んだ状態で、ホルダー部７を、固定部５に対して一定以上の回転力によって回転させると、凸部１５ｃが凹部２３から離脱してロックが解除される。
【００１７】
固定部５の円柱部１１をホルダー部７の回転支持孔１７ｃに挿入した状態では、固定部５のフランジ部９がホルダー部円弧部１７ｂの下部の内側に位置する。このとき、固定部５のリブ１５の外周面が、円柱部１１の軸方向で、凹部２３や凹凸形状部１９ａ及び２１ａに対応する位置となる。したがって、リブ１５の外周面に設けてある４つの凸部１５ｃも、円柱部１１の軸方向で、凹部２３や凹凸形状部１９ａ及び２１ａに対応する位置となる。
【００１８】
図３Ａに示す凹部２３の両側に形成してあるロック用凸部２３ａは、凹凸形状部１９ａ及び２１ａの凹凸形状凸部１９ａ１，２１ａ１よりも突出量が僅かに少ない。この場合、凸部１５ｃが凹部２３に入り込んだロック状態から、ホルダー部７を固定部５に対して回転させると、凸部１５ｃがロック用凸部２３ａを乗り越えることでロックが解除される。ロックが解除された状態で、さらにホルダー部７を固定部５に対して回転させると、互いに対向する位置にある２つの凸部１５ｃが凹凸形状部１９ａ及び２１ａを移動する。このとき、２つの凸部１５ｃと、凹凸形状部１９ａ及び２１ａとが、互いに押し付け合いながら摺動してクリック感が発生する。
【００１９】
図２Ｂに示すように、物品保持具１を天板３ａの裏面に取り付けた状態では、ホルダー部７は、ホルダー部本体２０の上面が回転支持部１７の上面よりも天板３ａの裏面から僅かに下方位置となる。すなわち、ホルダー部本体２０と天板３ａとの間には隙間Ｓが形成される。このため、図２Ｃのようにホルダー部７を天板３ａの下に格納した状態では、ホルダー部７は、主として回転支持部１７が、天板３ａの裏面にほぼ接触した状態となり、ホルダー部本体２０が天板３ａの裏面から隙間Ｓだけ離れた状態となる。これにより、ホルダー部７を回転させるときにホルダー部７と天板３ａの裏面との接触を極力避けることができる。
【００２０】
ホルダー部本体２０は、図３Ａ，図３Ｂに示すように、回転支持部１７側の基部２０ａから先端部２０ｂにわたって、回転方向に対向する両側部に凹状に湾曲する湾曲部２０ｃが形成されている。湾曲部２０ｃを備えることで、ホルダー部本体２０は回転方向両側に突出する突起部２０ｂ１が形成される。基部２０ａと先端部２０ｂとの間に、湾曲部２０ｃにより形成される引掛け部２０ｄが形成される。
【００２１】
次に、第１の実施形態に係わる物品保持具１の使用形態について説明する。
【００２２】
物品保持具１を使用しないときには、図２Ｃ、図３Ｂに示すように、ホルダー部７が天板３ａの下に位置する格納状態となる。格納状態では、固定部５の４つの凸部１５ｃが、ホルダー部７の４つの凹部２３にそれぞれ入り込んでロック状態となり、ホルダー部７は、格納状態が保持される。なお、物品保持具１は、ホルダー部７が図２Ｃ、図３Ｂの位置から１８０度回転した位置でも格納状態とすることができる。
【００２３】
物品保持具１を、格納状態から図２Ａ，図２Ｂ、図３Ａに示すような使用状態とするには、図２Ｃ、図３Ｂの状態からホルダー部７を、例えば突起部２０ｂ１付近を掴み、固定部５に対して回転させるようにして天板３ａの下から引っ張り出す。このとき、ホルダー部７を９０度回転させることで、ホルダー部７がテーブル３の下から突出した使用状態となる。
【００２４】
使用状態では、固定部５の４つの凸部１５ｃが、格納状態で入り込んでいた凹部２３とは別の４つの凹部２３にそれぞれ入り込んでロックされた状態となる。この状態で、例えば図４Ａに示すように、杖２５の柄２５ａを引掛け部２０ｄに引掛ける。図４Ｂは、傘２７を物品保持具１に保持させた例を示す。傘２７の柄２７ａを、杖２５の柄２５ａと同様に引掛け部２０ｄに引掛けることで、傘２７が物品保持具１に保持される。図４Ｃは、杖２５の支柱部分をホルダー部７の湾曲部２０ｃに入り込むようにして立掛けることで、物品保持具１に保持させた例を示す。図４Ｂに示す傘２７を、図４Ｃの杖２５のように物品保持具１に立掛けるようにして保持させてもよい。
【００２５】
図４Ａ，図４Ｂ，図４Ｃの使用状態では、格納状態と同様に、固定部５の４つの凸部１５ｃが、ホルダー部７の４つの凹部２３にそれぞれ入り込んでロック状態となるため、使用状態を保持できる。物品保持具１を使用状態から格納状態に戻すには、上記と逆の動作を行う。
【００２６】
次に、第１の実施形態の作用効果を説明する。
【００２７】
本実施形態は、テーブル３の天板３ａに取り付けられて物品を保持する物品保持具１であって、天板３ａの裏面に固定される固定部５と、天板３ａの裏面と固定部５との間に設けられ、固定部５に対して水平方向に回転自在なホルダー部７と、を備える。ホルダー部７は、天板３ａの裏側に位置する格納状態と、天板３ａの外側に突出する使用状態との間を回転自在である。格納状態及び使用状態において、ホルダー部７の固定部５に対する回転が一定以上の回転力によって許容されるロック部（凸部１５ｃ及び凹部２３）が、ホルダー部７と固定部５との間に設けられている。
【００２８】
このため、物品保持具１は、使用状態として杖２５や傘２７を保持するときに、ホルダー部７が天板３ａの縁３ａ１から側方に突出した状態となる。この状態で、杖２５や傘２７の柄２５ａ，２７ａをホルダー部７の引掛け部２０ｄに引掛けたり、支柱部分を湾曲部２０ｃに立掛けると、図４Ａ，図４Ｂ，図４Ｃに示すように、柄２５ａ，２７ａは、天板３ａの縁３ａ１から離れた外側に位置し、天板３ａの上方に位置することを抑制できる。これにより、テーブル使用時に柄２５ａ，２７ａが邪魔になることを抑制して、テーブル使用時の利便性を高めることができる。
【００２９】
このときホルダー部７は、ロック部によって使用状態が保持されるので、杖２５や傘２７が天板３ａ側に移動することを抑制でき、テーブル使用時の利便性を高めることができる。ホルダー部７は、ロック部によって格納状態においても保持されるので、天板３ａの縁３ａ１から外側へ突出するのを抑制できる。また、杖２５や傘２７は、柄２５ａ，２７ａを天板３ａの下から引っ張り出した状態のホルダー部７の引掛け部２０ｄに引掛けたり、支柱部分を湾曲部２０ｃに立掛けているので、ばねによって天板３ａの縁３ａ１に押される場合にように、杖２５や天板３ａに傷が付くことも抑制できる。
【００３０】
本実施形態は、ロック部が、ホルダー部７の凹部２３と固定部５の凸部１５ｃとで構成されている。凹部２３及び凸部１５ｃは、ホルダー部７の回転中心軸線を中心とした円周方向に沿った周面に設けられている。このため、凹部２３及び凸部１５ｃという簡素な構成によって、ロック部を設けることができる。
【００３１】
本実施形態は、ホルダー部７が固定部５に対し格納状態と使用状態との間を回転するときに、凸部１５ｃとの間で、互いに押し付け合いながら摺動してクリック感を発生させる凹凸形状部１９ａ及び２１ａが、凹部２３を備える側に設けられている。このため、ホルダー部７を、固定部５に対し格納状態と使用状態との間を回転移動させるときに、凸部１５ｃが凹凸形状部１９ａ及び２１ａを移動することで、適度な摩擦力が発生し、かつクリック感を発生するので、ホルダー部７を回転させる際の操作感が向上する。
【００３２】
本実施形態は、ホルダー部本体２０が、ホルダー部７の回転方向に対向する側部に、凹状に湾曲した湾曲部２０ｃを備えている。湾曲部２０ｃを備えることで、ホルダー部７は先端部２０ｂに回転方向両側に突出する突起部２０ｂ１が形成されるので、杖２５や傘２７の柄２５ａ，２７ａを引掛け部２０ｄに引掛けたり、支柱部分を湾曲部２０ｃに立掛けたときに、外れにくくなって信頼性が向上する。
【００３３】
図５に示すテーブル３Ａは、天板３Ａａの縁３Ａａ１近傍の裏面に桟３Ａｂが取り付けられている。この場合、固定部５を、桟３Ａｂの下面に図１に示したものと同様なタッピングねじ１３によって固定する。図５は、物品保持具１の使用状態を示しており、格納状態では、ホルダー部７が、桟３Ａｂの下に位置し、天板３Ａａの縁３Ａａ１よりも内側に位置する。
【００３４】
図６に示すテーブル３Ｂは、天板３Ｂａの縁３Ｂａ１にエッジ３Ｂｂが取り付けられている。この場合、エッジ３Ｂｂは、上面が天板３Ｂａの上面とほぼ同一面であり、下面が天板３Ｂａの下面より下方に突出している。エッジ３Ｂｂの天板３Ｂａから下方に突出した部分の内側において、天板３Ｂａの裏面にスペーサ２９が物品保持具１と共に取り付けられる。スペーサ２９の図６中で上下方向の厚さは、エッジ３Ｂｂの天板３Ｂａからの下方への突出長さとほぼ同等である。
【００３５】
スペーサ２９は、図７に示すように、平面視での外形が図１に示す固定部５のフランジ部９とほぼ同等である。すなわち、スペーサ２９は、外周面が、互いに平行な２か所のスペーサ直線部２９ａと、スペーサ直線部２９ａ同士をつなぐ２か所のスペーサ円弧部２９ｂとを備えている。
【００３６】
スペーサ２９は、固定部５の２個の取付孔５ａに対応する２個のスペーサ取付孔２９ｃを備えている。２個のスペーサ取付孔２９ｃは、２か所のスペーサ直線部２９ａ相互間の中央位置で、かつ、スペーサ直線部２９ａと平行な方向に沿って設けてある。スペーサ２９は、図３Ａ、図３Ｂに示す固定部５の位置決め穴５ｂに対応する位置決めピン２９ｄを２本備えている。位置決めピン２９ｄは、２個のスペーサ取付孔２９ｃの中心相互を結ぶ直線と直交する方向のスペーサ直線部２９ａの近傍に位置している。
【００３７】
図３Ａ，図３Ｂに示す位置決め穴５ｂは、２個の取付孔５ａの中心相互を結ぶ直線と直交する方向のリブ直線部１５ａの近傍に位置している。したがって、固定部５とスペーサ２９とを、ホルダー部７を間に配置して互いに接近させることによって、２個の取付孔５ａと２個のスペーサ取付孔２９ｃとが整合するとともに、２本の位置決めピン２９ｄが２個の位置決め穴５ｂに挿入されて位置決めされる。
【００３８】
このとき、上記した２個の取付孔５ａ、２個のスペーサ取付孔２９ｃ、２個の位置決め穴５ｂ及び２本の位置決めピン２９ｄは、固定部５の回転支持孔１７ｃの内側に位置している。この状態で、２本のタッピングねじ１３を取付孔５ａ及びスペーサ取付孔２９ｃに挿入し、天板３Ｂａの裏面にねじ込むことで、物品保持具１を天板３Ｂａに取り付けることができる。
【００３９】
このように、本実施形態は、テーブル３Ｂの天板３Ｂａの裏面とホルダー部７との間に、ホルダー部７に対して相対的に回転自在で、固定部５に固定されるスペーサ２９が設けられている。スペーサ２９は、天板３Ｂａに固定部５と共にタッピングねじ１３によって固定される。
【００４０】
このため、図６に示したようなエッジ３Ｂｂを備えたテーブル３Ｂであっても、物品保持具１を取り付けることができる。
【００４１】
[第２の実施の形態]
図８Ａ，図８Ｂに示す第２の実施形態の物品保持具１Ａは、第１の実施形態の物品保持具１に対し、ロック部の形成位置が異なる。第１の実施形態は、ロック部を構成する凸部１５ｃ及び凹部２３が、図３Ａ，図３Ｂに示すように、ホルダー部７の回転中心軸線を中心とした円周方向に沿った周面に設けられている。これに対して第２の実施形態は、ロック部を構成する凸部１５Ａｃ及び凹部２３Ａが、ホルダー部７Ａの回転中心軸線と直交する面（図８Ａ中で紙面と平行な面）に設けられている。
【００４２】
図８ＡのＡ−Ａ断面図である図８Ｂに示すように、固定部５Ａは下端外周面にフランジ部９Ａを備え、フランジ部９Ａの上面に凹部２３Ａが形成されている。一方、ホルダー部７Ａは、回転支持孔１７ｃの下部に、フランジ部９Ａが入り込む段部１７Ａｄが形成されている。段部１７Ａｄの下面に、下方に向けて突出する凸部１５Ａｃが形成されている。
【００４３】
凸部１５Ａｃ及び凹部２３Ａは、第１の実施形態の凸部１５ｃ及び凹部２３と同様に、ホルダー部７Ａの回転中心軸線を中心とする円周方向に沿った４か所に、９０度間隔で設けられている。このため、第２の実施形態においても、使用状態及び格納状態において、４つの凸部１５Ａｃが、４つの凹部２３Ａにそれぞれ入り込んでロックされた状態となり、ホルダー部７Ａは、使用状態及び格納状態が保持される。
【００４４】
ロック状態でのホルダー部７Ａは、凸部１５Ａｃが凹部２３Ａに入り込む方向と逆方向に反力を受けるが、当該反力は、ホルダー部７Ａが天板３ａの裏面に当接することによって天板３ａが受ける。第２の実施形態においても、凹部２３Ａ及び凸部１５Ａｃという簡素な構成によって、ロック部を設けることができる。
【００４５】
第２の実施形態は、図８Ａに示すように、凸部１５Ａｃ相互間のフランジ部９Ａ上に、クリック感発生部としての凹凸形状部１９Ａａ及び２１Ａａが形成されている。このため、第１の実施形態と同様に、凸部１５Ａｃが凹部２３Ａに入り込んだロック状態から、ホルダー部７Ａを固定部５Ａに対して回転させると、凸部１５Ａｃが凹凸形状部１９Ａａ及び２１Ａａ上を移動する。このとき、凸部１５Ａｃと、凹凸形状部１９Ａａ及び２１Ａａとが、互いに押し付け合いながら摺動してクリック感が発生する。
【００４６】
クリック感が発生する際のホルダー部７Ａは、凸部１５Ａｃが凹凸形状部１９Ａａ及び２１Ａａを押し付ける方向と逆方向に反力を受けるが、当該反力は、ホルダー部７Ａが天板３ａの裏面に当接することによって天板３ａが受ける。なお、ここでの凹凸形状部１９Ａａ及び２１Ａａは、円形の凹部を、凹部２３Ａ相互間に等間隔で複数設けてあるが、当該凹部は、凹部２３Ａよりも浅く、かつ、直径が小さいものとする。
【００４７】
[その他の実施の形態]
以上、実施形態について説明したが、これらの実施形態は理解を容易にするために記載された単なる例示に過ぎず、当該実施形態に限定されるものではない。技術的範囲は、上記実施形態で開示した具体的な技術事項に限らず、そこから容易に導きうる様々な変形、変更、代替技術なども含む。
【００４８】
例えば、第１の実施形態における凸部１５ｃをホルダー部７側に設け、凹部２３を固定部５側に設けてもよい。この場合、凹凸形状部１９ａ及び２１ａは、凹部２３を備える固定部５に側に設ける。また、第２の実施形態における凸部１５Ａｃを固定部５Ａ側に設け、凹部２３Ａをホルダー部７Ａ側に設けてもよい。この場合、凹凸形状部１９Ａａ及び２１Ａａは、凹部２３Ａを備えるホルダー部７Ａ側に設ける。
【００４９】
物品保持具１は、図４Ａ，図４Ｂ，図４Ｃに示したような杖２５や傘２７に限らず、他の物品をホルダー部７，７Ａに引掛けたり、湾曲部２０ｃに立掛けて使用することができる。他の物品としては、例えば杖２５や傘２７とほぼ同等の軽量なバッグや棒状の物品などである。
【産業上の利用可能性】
【００５０】
本実施の形態の物品保持具は、テーブルに取り付けられ、杖や傘などの物品の保持に適用できる。
【符号の説明】
【００５１】
１，１Ａ  物品保持具
３，３Ａ，３Ｂ  テーブル
５，５Ａ  物品保持具の固定部
７，７Ａ  物品保持具のホルダー部
１５ｃ，５Ａｃ  凸部（ロック部）
１９ａ，２１ａ、１９Ａａ，２１Ａａ  凹凸形状部（クリック感発生部）
２０ｃ  湾曲部
２３，２３Ａ  凹部（ロック部）
２５  杖（物品）
２７  傘（物品）
２９  スペーサ
【図１】
0003213850.tif 000003
【図２Ａ】
0003213850.tif 000004
【図２Ｂ】
0003213850.tif 000005
【図２Ｃ】
0003213850.tif 000006
【図３Ａ】
0003213850.tif 000007
【図３Ｂ】
0003213850.tif 000008
【図４Ａ】
0003213850.tif 000009
【図４Ｂ】
0003213850.tif 000010
【図４Ｃ】
0003213850.tif 000011
【図５】
0003213850.tif 000012
【図６】
0003213850.tif 000013
【図７】
0003213850.tif 000014
【図８Ａ】
0003213850.tif 000015
【図８Ｂ】
0003213850.tif 000016